(57)【要約】【課題】本発明は、空気漏洩を無くした構成でシステムの高性能化、構成要素のコンパクト化、振動時の相対変位の抑制及び固有周期調整の多様化を実現することが可能な空気浮上式振動制御システムを提供する。【解決手段】設置面Ｇ上に配置される基台２と、振動制御対象物を構成する構造物Ｍが載置される架台３と、基台、架台間に垂直配置されるとともに、上面側に空気噴出穴９を備え、かつ、架台の下面に接合する滑り材８を具備し、空気配管１２からの空気供給に応じた空気噴出穴からの架台の下面側への空気の噴出によりこの架台を構造物とともに定位置から上方に浮上させつつ滑り移動させる空気バネ６を使用した複数の空気バネ体４と、滑り材の外周領域に配置した空気漏洩防止用のシール材１０と、各空気バネ体に対して空気配管を介しての空気の供給又は供給停止が可能な空気源１１と、基台側又は架台側の振動を検出する振動センサ１５と、振動センサの検出信号に基づき空気の供給又は供給停止を制御するコントローラ１３とを有する。【選択図】図１
2019173940.tif 000002
【特許請求の範囲】
【請求項１】
各種構造物を含む振動制御対象物の振動制御を行う空気浮上式振動制御システムであって、
設置面上に配置される基台と、
前記基台、振動制御対象物間に垂直配置されるとともに、上面側に空気噴出穴を備え、かつ、前記振動制御対象物下面に接合する滑り材を具備し、空気配管からの空気供給に応じた前記空気噴出穴からの振動制御対象物下面側への空気の噴出によりこの振動制御対象物とともに定位置から上方に浮上させつつ滑り移動させ、外部への空気漏洩を防止するシール処理を施した１又は２以上複数の空気バネ体と、
前記各空気バネ体に対して空気配管を介しての空気の供給又は供給停止が可能な空気源と、
前記基台側又は振動制御対象物側の振動を検出する振動センサと、
前記振動センサの検出信号に基づき、前記空気バネ体に対する空気源からの空気の供給又は供給停止を制御するコントローラと、
を有することを特徴とする空気浮上式振動制御システム。
【請求項２】
構造物を含む振動制御対象物の振動制御を行う空気浮上式振動制御システムであって、
設置面上に配置される基台と、
前記基台、振動制御対象物間に垂直配置されるとともに、下面側に空気噴出穴を備えて、かつ、上面側に前記振動制御対象物下面に接合する滑り材を具備し、空気配管からの空気供給に応じた前記空気噴出穴からの基台上面側への空気の噴出により前記振動制御対象物を定位置から上方に浮上させつつ滑り移動させ、外部への空気漏洩を防止するシール処理を施した１又は２以上複数の空気バネ体と、
前記各空気バネ体に対して空気配管を介しての空気の供給又は供給停止が可能な空気源と、
前記基台側又は架台側の振動を検出する振動センサと、
前記振動センサの検出信号に基づき、前記空気バネ体に対する空気源からの空気の供給又は供給停止を制御するコントローラと、
を有することを特徴とする空気浮上式振動制御システム。
【請求項３】
前記空気バネ体を構成する空気バネを垂直多段配列としたことを特徴とする請求項１又は２記載の空気浮上式振動制御システム。
【請求項４】
前記基台、振動制御対象物間には、振動制御対象物用の移動誘導・回転防止機構、振動復元機構、振動減衰機構、振動復元機構及び振動減衰機構を含み前記基台、振動制御対象物間の中央部で鉛直配置とした振動復元・減衰機構、架台のレベリング機構の各要素のうちの単数若しくは複数又は全ての要素が組み込まれることを特徴とする請求項１乃至３のいずれか１項に記載の空気浮上式振動制御システム。
【請求項５】
前記空気バネ体を構成する滑り材の外周領域には、外部への空気漏洩を防止するシール材を備えることを特徴とする請求項１乃至４のいずれか１項に記載の空気浮上式振動制御システム。
【請求項６】
前記下面側から基台に向けて空気を噴出する空気噴出穴を備える空気バネ体には、前記空気噴出穴の外周領域に、外部への空気漏洩を防止するシール材を備えることを特徴とする請求項２乃至４のいずれか１項に記載の空気浮上式振動制御システム。
【発明の詳細な説明】
【技術分野】
【０００１】
本発明は、空気浮上式振動制御システムに関し、詳しくは、システムの高性能化、構成要素のコンパクト化、振動時の相対変位の抑制及び固有周期調整の多様化を図った空気浮上式振動制御システムに関するものである。
【背景技術】
【０００２】
従来、各種構造物の振動に関する対象入力要素として、台風による強風、地震、交通振動、超長周期地震動、渦励振等の振動源を想定する時、このような振動源により励起される構造物の強制加振や共振現象による振動に対して住居等の安全性や居住性等の確保には免震・制振装置（ＴＭＤ或いはＡＭＤ）・制震ブレース・炭素繊維等による本体補強により対処している。
【０００３】
しかし、このような手段では水平変形が大きい場合、構造物は大変形を起こし安全性や居住性に問題が生じる。
【０００４】
また、減衰が小さく低い卓越振動数を持つ構造物は基本的にはアスペクト比が大きく変形時に曲げ・せん断変形する。
【０００５】
更には、従来例においては装置の摩擦の影響に伴う性能の面での問題が有り、また、応答変位が大きくなるのでシステムが大きくなり価格が高くなる等の課題を包含している。
【０００６】
特許文献１には、空気噴出機構を免震テーブルの下面に設け、更に、空気噴出の受面を空気供給装置収容箱の上面とし、空気供給装置は、圧力空気を溜める圧力空気タンク、圧力空気を供給・遮断する電磁バルブ、圧力空気の圧力を調整するレギュレータ、その間を接続する空気配管、振動センサから構成した免震装置が開示されている。
【０００７】
しかし、特許文献１の免震装置の場合、空気漏洩防止用のシール材が無く、空気供給装置収容箱の上面への空気噴出に関して空気漏洩防止の対策が不十分であり、また、積載機器等の重心位置が中心でない場合回転運動が生じるおそれもあり、更に地震のための停電時に空気浮上動作を実行できない等の問題を包含している。
【先行技術文献】
【特許文献】
【０００８】
【特許文献１】特開２００１−２０８１３１号公報
【発明の概要】
【発明が解決しようとする課題】
【０００９】
本発明は、上述した従来例に鑑みて開発されたものであり、空気バネ体を採用し空気漏洩を無くした構成でシステムの高性能化、構成要素のコンパクト化、振動時の相対変位の抑制及び固有周期調整の多様化を実現することが可能な空気浮上式振動制御システムを提供することを目的とするものである。
【課題を解決するための手段】
【００１０】
本発明に係る空気浮上式振動制御システムは、構造物を含む振動制御対象物の振動制御を行う空気浮上式振動制御システムであって、設置面上に配置される基台と、前記基台、振動制御対象物間に垂直配置されるとともに、上面側に空気噴出穴を備え、かつ、前記振動制御対象物下面に接合する滑り材を具備し、空気配管からの空気供給に応じた前記空気噴出穴からの振動制御対象物下面側への空気の噴出によりこの振動制御対象物とともに定位置から上方に浮上させつつ滑り移動させる１又は２以上複数の空気バネ体と、前記各空気バネ体に対して空気配管を介しての空気の供給又は供給停止が可能な空気源と、前記基台側又は振動制御対象物側の振動を検出する振動センサと、前記振動センサの検出信号に基づき、前記空気バネ体に対する空気源からの空気の供給又は供給停止を制御するコントローラと、を有することを最も主要な特徴とする。
【発明の効果】
【００１１】
請求項１記載の発明によれば、空気バネ体を採用し空気漏洩を無くした構成でシステムの高性能化、構成要素のコンパクト化、振動時の相対変位の抑制及び固有周期調整の多様化を図ることができる空気浮上式振動制御システムを実現し提供することができる。
【００１２】
請求項２記載の発明によれば、請求項１記載の発明と略同様な構成で、かつ、空気の下方噴出方式として、システムの高性能化、構成要素のコンパクト化、振動時の相対変位の抑制及び固有周期調整の多様化を図ることができる空気浮上式振動制御システムを実現し提供することができる。
【００１３】
請求項３記載の発明によれば、空気バネ体を構成する空気バネを垂直多段配列とし構造物に対する浮上力をより強大としつつ請求項１又は２記載の発明と同様な効果を奏する空気浮上式振動制御システムを実現し提供することができる。
【００１４】
請求項４記載の発明によれば、請求項１乃至３のいずれかに記載の発明において、前記基台、架台間には、架台用の移動誘導・回転防止機構、振動復元機構、振動減衰機構、振動復元機構及び振動減衰機構を含み前記基台、振動制御対象物間の中央部で鉛直配置とした振動復元・減衰機構、架台のレベリング機構の各要素のうちの単数若しくは複数又は全ての要素が組み込まれることから、請求項１乃至３のいずれかに記載の発明の効果を奏するとともに、架台の移動誘導・回転防止、振動復元、振動減衰、架台のレベリングの各機能をも発揮する空気浮上式振動制御システムを実現し提供することができる。
【００１５】
請求項５記載の発明によれば、請求項１乃至４のいずれかに記載の発明において、前記空気バネ体を構成する滑り材の外周領域には、外部への空気漏洩を防止するシール材を備えることから、請求項１乃至４のいずれかに記載の発明の効果を奏し、かつ、より高性能の空気浮上式振動制御システムを実現し提供することができる。
【００１６】
請求項６記載の発明によれば、請求項２乃至４のいずれかに記載の発明において、前記下面側から基台に向けて空気を噴出する空気噴出穴を備える空気バネ体には、前記空気噴出穴の外周領域に、外部への空気漏洩を防止するシール材を備える構成としていることから、請求項２乃至４のいずれかに記載の発明の効果を奏し、かつ、より高性能の空気浮上式振動制御システムを実現し提供することができる。
【図面の簡単な説明】
【００１７】
【図１】図１は本発明の実施例に係る空気浮上式振動制御システムの概略構成図である。
【図２】図２は本実施例に係る空気浮上式振動制御システムにおける基台、架台、複数の空気バネ体の配置を示す概略平面図である。
【図３】図３は本実施例に係る空気浮上式振動制御システムにおける基台上に配置した空気バネ体の拡大正面図である。
【図４】図４は本実施例に係る空気浮上式振動制御システムにおける空気バネ体の拡大平面図である。
【図５】図５は本実施例に係る空気浮上式振動制御システムにおける空気バネ体の作動時での架台及び構造物の浮上動作図である。
【図６】図６は本実施例に係る空気浮上式振動制御システムにおける基台、架台、複数の空気バネ体の変形例の概略構成図である。
【図７】図７は本実施例に係る空気浮上式振動制御システムの別の変形例に係る基台、架台、複数の空気バネ体、復元要素、減衰要素の配置例を示す概略平面図である。
【図８】図８は本実施例に係る空気浮上式振動制御システムの更に別の変形例を示す概略構成図である。
【図９】図９は本実施例に係る空気浮上式振動制御システムの更に異なる変形例に係る基台、架台、複数の空気バネ体、及び、基台、架台の中央部の振動復元・減衰機構の配置例を示す概略平面図である。
【図１０】図１０は本実施例に係る空気浮上式振動制御システムにおける空気バネ体の具体的構成例を示す概略斜視図である。
【図１１】図１１は本実施例に係る空気浮上式振動制御システムにおける基台、架台、及び、基台上に複数の空気バネ体のみを配置した例を示す概略平面図である。
【発明を実施するための形態】
【００１８】
本発明は、空気バネ体を採用し空気漏洩を無くした構成でシステムの高性能化、構成要素のコンパクト化、振動時の相対変位の抑制及び固有周期調整の多様化を実現することが可能な空気浮上式振動制御システムを実現し提供するという目的を、構造物を含む振動制御対象物の振動制御を行う空気浮上式振動制御システムであって、設置面上に配置される基台と、前記基台、振動制御対象物間に垂直配置されるとともに、上面側に空気噴出穴を備え、かつ、前記振動制御対象物下面に接合する滑り材を具備し、空気配管からの空気供給に応じた前記空気噴出穴からの振動制御対象物下面側への空気の噴出によりこの振動制御対象物とともに定位置から上方に浮上させつつ滑り移動させ、かつ、空気漏洩防防止用シール材を備える複数の空気バネ体と、前記各空気バネ体に対して空気配管を介しての空気の供給又は供給停止が可能な空気源と、前記基台側又は振動制御対象物側の振動を検出する振動センサと、前記振動センサの検出信号に基づき、前記空気バネ体に対する空気源からの空気の供給又は供給停止を制御するコントローラと、を有する構成により実現した。
【実施例】
【００１９】
以下、本発明の実施例に係る空気浮上式振動制御システムについて図面を参照して詳細に説明する。
本実施例に係る空気浮上式振動制御システム１は、図１、図２に示すように、設置面Ｇ上に配置される平坦な基台２と、振動制御対象物である構造物Ｍが載置される振動制御対象物の一部となる平坦な架台３と、前記基台２、架台３間に垂直配置されるとともに、上面側に空気噴出穴９を備え、かつ、前記架台３の下面に接合する滑り材８を具備し、後述する空気源１１からの空気供給に応じた膨出により前記空気噴出穴９からの架台３の下面側への空気漏洩を無くした空気の噴出によりこの架台３を構造物Ｍとともに定位置から上方に浮上させるとともに、最上面に摩擦係数の小さいステンレス材、合成樹脂材等からなる前記滑り材８を備える１又は２以上複数（例えば４個）の荷重支持機構として機能する空気バネ体４と、前記各空気バネ体４に対して空気配管１２を介しての空気の供給又は供給停止が可能な空気源１１と、前記基台２側又は架台３側の振動を検出する振動センサ１５と、前記振動センサ１５の検出信号に基づき、任意に設定可能なトリガーレベルをもって前記空気バネ体４に対する空気源１１からの空気の供給又は供給停止を制御するコントローラ１３と、前記各空気バネ体４における滑り材８の外周領域に配置した円筒状で外部への空気漏洩をより効果的に防止するためのシール材１０と、を有している。
なお、前記空気バネ体４には、空気バネ体内の空気が外部への漏洩防止のためのシール処理が施こされていれば良く、図示する例に限定するものではない。
【００２０】
また、本実施例の空気浮上式振動制御システム１は、前記基台２、架台３間に、２軸方向の移動誘導・回転防止機構として機能するＸＹレールユニット１４を組み込んでいる。
【００２１】
なお、前記２軸方向は、図２に示すＸ方向、Ｙ方向のように定義して以下の説明を行う。
【００２２】
前記ＸＹレールユニット１４は、前記構造物Ｍの全体重量の一部（約０〜３０％）の荷重支持の他、前記架台３、構造物Ｍの移動誘導と回転防止機能も発揮する。
【００２３】
なお、摩擦板を併用することにより、例えば本実施例の空気浮上式振動制御システム１の作業性向上と振動振幅の減少、価格の低減化等の効果を実現可能である。
【００２４】
また、前記ＸＹレールユニット１４は、前記架台３、構造物Ｍが空気浮上する時、この浮上に伴い上下方向に自由に移動可能な機構を配置し、前記架台３、構造物Ｍの移動誘導と回転防止機能を支障なく発揮させるようにすることが肝要である。
【００２５】
更に、前記空気バネ体４等に万一トラブルが発生した時には、前記ＸＹレールユニット１４によって前記架台３、構造物Ｍの全体重量を支持することができるように構成するとともに、地震等のため停電が生じ前記空気バネ体４が作動しない場合にも前記架台３、構造物Ｍの移動誘導と回転防止機能を発揮し得るように構成している。
【００２６】
また、前記４個の空気バネ体４は、図２に示すように、前記基台２、架台３間においてこれらの四隅部に各々配置し、各空気バネ体４に接続した空気配管１２を経て空気源１１からの空気を各空気バネ体４に供給するように構成している。
【００２７】
前記空気バネ体４は、図３、図４に示すように、基台２上に配置する円盤状の空気供給盤５と、この空気供給盤５上に配置する下面側、上面側に空気流通穴を備える弾性係数が目的に応じて選定される空気バネ（ベローズ）６と、空気バネ６上に配置する円盤状の空気吐出盤７と、この空気吐出盤７の上面に貼着されるとともに前記架台３の下面に接合させる合成樹脂材シート等からなり空気を噴出可能とした滑り材８と、空気バネ６上で前記空気吐出盤７、滑り材８の外周領域に配置した例えば合成ゴム材、弾性合成樹脂材等を用い円筒状に形成したシール材（例えばオイルシール材）１０と、を具備し、このシール材１０の上面高さを前記滑り材８の上面高さより僅かに大きくして、空気バネ６の膨出時、架台３の下面に弾性をもって圧接し、空気噴出穴９から噴出される空気の外部への漏洩防止を図っている。
【００２８】
そして、前記空気源１１から空気配管１２を経て供給される空気を空気供給盤５から空気バネ６内に送ってこの空気バネ６を膨出させ、更に、上面側の空気流通穴から空気吐出盤７、滑り材８の一部を貫通して設けた所定径の空気噴出穴９を経て前記架台３の下面側に空気を噴出し、前記シール材１０により外部への空気漏洩を防止しつつ架台３及び構造物Ｍを上方に浮上させるための空気力を作用させるように構成している。
【００２９】
前記シール材１０としては、空気吐出盤７の上面部において、図１０に示すように、滑り材８の外側領域に所定径の円形溝（又は角形溝）の加工を行い、その中に円環状のシール材１０を埋め込む構造例を挙げることができる。
【００３０】
前記円形溝（又は角形溝）の数は一つではなく複数個加工することにより、空気漏洩をより効果的に防ぐことが可能となる。
【００３１】
なお、前記シール材は標準品（例えば合成ゴム製）が存在するので、そのサイズに合わせて機械加工による前記各溝の径やサイズを選定する。
【００３２】
前記架台３及び構造物Ｍの上方への浮上と同時に、前記各空気バネ体４における空気バネ６の選定した弾性係数に応じた膨出時には、前記空気吐出盤７の上面に貼着した滑り材８が前記架台３の下面に接合しつつ上方に変位するので、前記空気源１１からの空気は基本的にはいずれの箇所からも外部に漏洩することがなく、これにより、前記シール材１０の機能と相俟って本実施例の空気浮上式振動制御システム１の性能を高めている。
なお、前記滑り材８は上述した場合の他、前記架台３又は構造物Ｍの下面に配置する構成とすることもできる。
【００３３】
次に、図５を参照して本実施例に係る空気浮上式振動制御システム１における前記空気バネ体４の作動時での架台３及び構造物Ｍの浮上動作について説明する。
【００３４】
本実施例に係る空気浮上式振動制御システム１において、前記基台２側（又は架台３側）の振動を検出する振動センサ１５が例えば設置面Ｇの地震等に伴う振動を検出し検出信号をコントローラ１３に送ると、コントローラ１３はその検出信号を基に予め設定しているトリガーレベルを超えているか否かを判定し、トリガーレベルを超えている場合には前記空気源１１に対して空気供給信号を送る。
【００３５】
前記空気源１１は、空気供給信号を受けて図示しない空気供給バルブを開け、空気配管１２を経て各空気バネ体４の空気供給盤５から各空気バネ６内に空気を供給する。
【００３６】
これにより各空気バネ６は定常状態より膨出し、更に、上面側の空気流通穴から空気吐出盤７、滑り材８の一部を貫通して設けた所定径の空気噴出穴９を経て前記架台３の下面側に空気を噴出し、架台３及び構造物Ｍを上方に浮上させる。このとき、前記シール材１０により外部への空気漏洩が防止される。
【００３７】
上方に浮上した架台３及び構造物Ｍは、設置面Ｇ側の振動に伴って振動する基台２や各空気バネ体４に対して相対的に異なる振動周期をもって前記滑り材８上を滑りつつ変位する。
【００３８】
このとき、前記架台３及び構造物Ｍは、前記ＸＹレールユニット１４により回転動することなくＸ方向又はＹ方向に移動誘導される。
【００３９】
また、前記空気源１１からの空気は既述したようにいずれの箇所からも外部に漏洩することは無い。更に、前記滑り材８は、振動の有無に関わりなく前記架台３の下面に接合した状態を維持するので滑り材８の上面に塵埃が溜まることもない。
【００４０】
本実施例によれば、空気バネ体４を採用し空気漏洩を無くした構成で構造物Ｍの振動を制御し、その制振又は免震を図り、システム自体の高性能化、構成要素のコンパクト化、振動時の相対変位の抑制及び固有周期調整の多様化を図ることができる空気浮上式振動制御システム１を実現することができる。
【００４１】
なお、上述した実施例における空気バネ体４の配置個数は、４個に限定されるものではなく、前記基台２、架台３の寸法、構造物Ｍの重量等に応じて任意個数（３個、６個、１０個、Ｎ（Ｎは正の整数）個等）とすることができる。
【００４２】
また、前記空気バネ体４の空気バネ６を垂直方向に２個、３個等複数個重ねて前記架台３に作用する空気力をより強大とする構成とすることも可能である。
【００４３】
（変形例）
次に、図６を参照して本発明の実施例の変形例に係る空気浮上式振動制御システム１Ａについて説明する。
【００４４】
なお、変形例に係る空気浮上式振動制御システム１Ａにおいて、上述した実施例に係る空気浮上式振動制御システム１の場合と同一の要素には同一の符号を付し、その詳細説明は省略する。
【００４５】
図６は、変形例に係る空気浮上式振動制御システム１Ａにおける基台２、架台３、ＸＹレールユニット１４、及び、前記空気バネ体４を変形した空気バネ体４Ａを示すものである。
【００４６】
前記空気バネ体４Ａは、基台２上に配置する空気噴出穴７ｂを備える円盤状の空気吐出盤７Ａと、前記空気吐出盤７Ａ上に連結配置する空気バネ（ベローズ）６と、前記空気バネ６上に空気供給盤５Ａを配置し、この空気供給盤５Ａの上面に前記架台３の下面に接合させる合成樹脂材シート等からなる滑り材８Ａを貼着配置するとともに、前記滑り材８Ａの外周部及び前記空気吐出盤７Ａの外周部に各々円筒状のシール材１０を配置し、かつ、前記空気配管１２を空気供給盤５Ａに連結して構成し、この空気バネ体４Ａを上述した実施例の場合と同様前記基台２、架台３間に４個配置した構成としている。
【００４７】
なお、前記空気吐出盤７Ａの下面に図示しないが滑り材を配置する構成とすることもできる。この他の構成は実施例に係る空気浮上式振動制御システム１の場合と同様である。
【００４８】
また、前記空気浮上式振動制御システム１Ａの平面図は図示省略する。
【００４９】
図６に示す変形例に係る空気浮上式振動制御システム１Ａによっても、空気の下方噴出方式の基に、前記空気噴出穴からの基台２の上面側への空気の噴出により前記架台３及び構造物Ｍを定位置から上方に浮上させつつ滑り移動させることができ、かつ、前記各シール材１０により架台３の下面、基台の上面領域への空気漏洩を防止でき、実施例の場合と同様な効果を発揮させることができる。
【００５０】
（別の変形例）
次に、図７を参照して本発明の実施例の別の変形例に係る空気浮上式振動制御システム１Ｂについて説明する。
【００５１】
なお、別の変形例に係る空気浮上式振動制御システム１Ｂにおいて、上述した実施例に係る空気浮上式振動制御システム１の場合と同一の要素には同一の符号を付し、その詳細説明は省略する。
【００５２】
図７に示す別の変形例に係る空気浮上式振動制御システム１Ｂは、実施例に係る空気浮上式振動制御システム１と略同様な構成であるが、前記ＸＹレールユニット１４に替えて、前記基台２、架台３間に復元力付与機構を構成するコイルバネユニット２１、及び、減衰機構を構成するコイルダンパーユニット３１を組み込んだことが特徴である。
【００５３】
前記コイルバネユニット２１は、詳細な取り付け構造は説明を省略するが、前記基台２、架台３間にＸ方向配置に２本のコイルバネ２２を直列配置に組み込み、Ｙ方向配置に２本のコイルバネ２２を直列配置に組み込んだ合計４本構成としている。
【００５４】
また、前記コイルダンパーユニット３１は、詳細な取り付け構造は説明を省略するが、前記基台２、架台３間に、Ｘ方向配置で、かつ、図７において左右分離配置に２個のコイルダンパー３２を組み込み、Ｙ方向配置で、かつ、図７において上下分離配置に２個のコイルダンパー３２を組み込んだ合計４個構成としている。
【００５５】
この他の構成は実施例に係る空気浮上式振動制御システム１の場合と同様である。
【００５６】
この別の変形例に係る空気浮上式振動制御システム１Ｂによっても、実施例に係る空気浮上式振動制御システム１と同様な効果を発揮でき、かつ、地震等の振動時において前記コイルバネユニット２１による振動復元効果、前記コイルダンパーユニット３１による振動減衰復元効果を的確に発揮させることができる。
【００５７】
図８に示す更に別の変形例に係る空気浮上式振動制御システム１Ｃは、実施例に係る空気浮上式振動制御システム１と略同様な構成であるが、前記架台３を省略し、前記空気バネ体４を直接振動制御対象物である構造物Ｍの下面に当接させ、前記空気バネ体４を採用し実施例の場合と同様にして空気漏洩を無くした構成で構造物Ｍの振動を制御し、その制振又は免震を図り、システム自体の高性能化、構成要素のコンパクト化、振動時の相対変位の抑制及び固有周期調整の多様化を図ることができる空気浮上式振動制御システム１Ｃとしたものである。
【００５８】
更に別の変形例に係る空気浮上式振動制御システム１Ｃにおける前記架台３を省略する構成は、実施例の空気浮上式振動制御システム１、変形例の空気浮上式振動制御システム１Ａ、別の変形例の空気浮上式振動制御システム１Ｂに関しても同様に適用可能である。
【００５９】
図９に示す更に異なる変形例に係る空気浮上式振動制御システム１Ｄは、実施例に係る空気浮上式振動制御システム１と略同様な構成であるが、前記ＸＹレールユニット１４に替えて、コイルバネのような振動復元機構４２及び減衰ダンパーのような振動減衰機構４３を含み前記基台２、振動制御対象物である架台３又は構造物Ｍの中央部で鉛直配置とした振動復元・減衰機構４１を配置したことが特徴である。
【００６０】
図９に示す更に異なる変形例に係る空気浮上式振動制御システム１Ｄによっても、前記空気バネ体４を採用し実施例の場合と同様にして空気漏洩を無くした構成で構造物Ｍの振動を制御し、その制振又は免震を図り、システム自体の高性能化、構成要素のコンパクト化、振動時の相対変位の抑制及び固有周期調整の多様化を図ることができる。
【００６１】
また、図９に示す更に異なる変形例に係る空気浮上式振動制御システム１Ｄの構成によれば、振動復元・減衰機構４１を最低限１ユニット配置しただけでも構造物Ｍの制振又は免震が可能となる。
【００６２】
上述した図９に示す構成は、既述した実施例の空気浮上式振動制御システム１、変形例の空気浮上式振動制御システム１Ａ、別の変形例の空気浮上式振動制御システム１Ｂ、更に別の変形例に係る空気浮上式振動制御システム１Ｃに関しても同様に適用可能である。
【００６３】
次に図１１を参照して基台２上に複数の空気バネ体４のみを配置した空気浮上式振動制御システム１Ｅについて説明する。
【００６４】
図１１に示す空気浮上式振動制御システム１Ｅは、実施例の空気浮上式振動制御システム１の構成に対してＸＹレールユニット１４を省略したものであり、残余の構成は実施例の空気浮上式振動制御システム１の場合と同様である。
【００６５】
図１１に示す空気浮上式振動制御システム１Ｅによれば、前記空気バネ体４を採用し、実施例の場合と略同様にして空気漏洩を無くした構成で、地震時等における構造物Ｍの浮上によってその制振又は免震を図り、システム自体の高性能化、構成要素のコンパクト化、振動時の相対変位の抑制及び固有周期調整の多様化を図ることができる。
【００６６】
なお、前記空気浮上式振動制御システム１Ｅにおいても、図６に示す空気浮上式振動制御システム１Ａの場合と同様に、空気の下方噴出構造を採用したり、図８に示す更に別の変形例に係る空気浮上式振動制御システム１Ｃの場合と同様な構成とすることが可能である。
【００６７】
次に、既述した実施例に係る空気浮上式振動制御システム１について更に詳述する。
【００６８】
実施例に係る空気浮上式振動制御システム１は、振動防止対策が行われる建築・土木・機械構造物が適用対象であり、前記構造物Ｍとしては、特に戸建住宅、半導体機器、精密機器、風力発電機、鉄塔、アンテナ塔、観光タワー等の塔状構造物や、マテハン（マテリアル・ハンドリング）設備等も含まれる。
【００６９】
すなわち、実施例に係る空気浮上式振動制御システム１は、建築・土木・機械構造物・電機機器等を適用対象としたものであり、当該構造物に外部から地震や台風及び設備機械等からの振動外力が加わった時に、構造物が大きく揺れるのを防止する制振システム、免震システムとして機能する。
【００７０】
更に付言すれば、当該構造物Ｍの上部や基礎部に、復元機構や減衰機構と同時に、単独或いは複数の空気バネ体４を設置し、前記構造物Ｍの安全性・居住性を確保するために構造物の相対変位・絶対加速度を低減するものである。
【００７１】
また、万一、前記空気バネ体が故障した場合でも、振動制御装置としての機能は確保できる
【００７２】
実施例に係る空気浮上式振動制御システム１の更なる構成要素について言及すると、構造物Ｍの加重支持要素としては、既述した空気バネ体４の他、転がり支承、滑り支承、等を単独或いは組み合わせて使用することができる。また、レベリングバルブのような架台の平坦性のためのレベリング機構を組み合わせて使用することもできる。
【００７３】
構造物Ｍの移動誘導・回転防止要素としては、既述した場合の他、水平２方向に移動（能動的・受動的とも）可能なものであれば例えばガイドレール、リンク機構等で構成することができ、特別用途の場合には摩擦板等との併用も可能である。摩擦板を併用することにより、例えばシステムの作業性向上と振幅の減少、価格の低減化が得られる。
【００７４】
ヨーイング等の回転防止のために例えばガイドレールの様な案内要素を併用する場合、この案内装置に上下方向移動可能なようにコイルバネの様な弾性体を組み込むこともでき、この場合には、以下のような効果を得ることができる。
【００７５】
すなわち、この場合には弾性体のバネ定数は任意に設定できることにより、弾性体による浮上高さは自由に選べる（弾性体による初期僥みは任意に設定可能であり初期浮上高さは任意に設定できる）。そして、任意に設定した高さにより摩擦力の調整・低減ができると同時に空気による浮上力も調整できる。
【００７６】
実施例に係る空気浮上式振動制御システム１における振動復元要素としては、周期調整機能を持っているコイルバネ、板バネ、積層ゴム等を単独或いは組み合わせて使用することができる。これらは変形量の大きさ、バネ定数等により適宜選択される。
【００７７】
実施例に係る空気浮上式振動制御システム１における振動減衰要素としては、粘性系、弾塑性系、摩擦系等を目的により自由に選択可能であり、主に粘性ダンパー、粘弾性ダンパー、弾塑性ダンパーが単独或いは複数が組み合わせて併用される。
【００７８】
以上説明した実施例に係る空気浮上式振動制御システム１についての適用対象や各構成要素に関しては、変形例の空気浮上式振動制御システム１Ａ、別の変形例の空気浮上式振動制御システム１Ｂに関しても同様であり、また、更に別の変形例の空気浮上式振動制御システム１Ｃ、異なる変形例の空気浮上式振動制御システム１Ｄ、図１１に示す空気浮上式振動制御システム１Ｅに関しても同様である。
【産業上の利用可能性】
【００７９】
本発明は、建築・土木・機械等の各種構造物の振動防止対策（制振、免震）用として広範に適用可能である。
【符号の説明】
【００８０】
１    空気浮上式振動制御システム
１Ａ  空気浮上式振動制御システム
１Ｂ  空気浮上式振動制御システム
１Ｃ  空気浮上式振動制御システム
１Ｄ  空気浮上式振動制御システム
１Ｅ  空気浮上式振動制御システム
２    基台
３    架台
４    空気バネ体
４Ａ  空気バネ体
５    空気供給盤
５Ａ  空気供給盤
６    空気バネ
７    空気吐出盤
７Ａ  空気吐出盤
７ｂ  空気噴出穴
８    滑り材
８Ａ  滑り材
９    空気噴出穴
１０    シール材
１１    空気源
１２    空気配管
１３    コントローラ
１４    ＸＹレールユニット
１５    振動センサ
２１    コイルバネユニット
２２    コイルバネ
３１    コイルダンパーユニット
３２    コイルダンパー
４１    振動復元・減衰機構
４２    振動復元機構
４３    振動減衰機構
Ｇ    設置面
Ｍ    構造物
【図１】
2019173940.tif 000003
【図２】
2019173940.tif 000004
【図３】
2019173940.tif 000005
【図４】
2019173940.tif 000006
【図５】
2019173940.tif 000007
【図６】
2019173940.tif 000008
【図７】
2019173940.tif 000009
【図８】
2019173940.tif 000010
【図９】
2019173940.tif 000011
【図１０】
2019173940.tif 000012
【図１１】
2019173940.tif 000013